(57)【要約】【課題】最上段の棚板の上面が構成する載置面を有効に利用することができるラックを提供する。【解決手段】ラック本体１１を棚部１２と支柱１３で構成し、棚部１２の四隅に嵌合部１４を設ける。支柱１３に棚部１２の嵌合部１４を固定してラック１を形成する。最上段の棚部１２に棚板５１を支持した状態で金属線３１の平面部４１の貫通穴に挿通したタッピンねじ４２を棚板５１の下面５２に螺入して棚板５１を棚部１２上に固定する。最上段の棚部１２より突出した支柱１３を回避する有底の楕円形座ぐり穴６２を棚板５１の下面５２の四隅に設け、棚板５１の上面によってテレビを載置する載置面を形成する。【選択図】図２
0003135142.tif 000002
【実用新案登録請求の範囲】
【請求項１】
棚部に設けられた嵌合部を支柱に嵌合して固定するラックにおいて、
前記棚部より突出した前記支柱を回避する有底の座ぐり穴を、最上段の棚部で支持される棚板の下面に設けたことを特徴とするラック。
【請求項２】
前記座ぐり穴を楕円形状に形成したことを特徴とする請求項１記載のラック。
【請求項３】
前記支柱を円柱又は円筒状に形成する一方、
前記座ぐり穴を円形状に形成したことを特徴とする請求項１記載のラック。
【請求項４】
前記棚部の前記嵌合部を前記支柱の任意の位置に固定する固定手段を備えたことを特徴とする請求項１、２又は３記載のラック。
【請求項５】
前記固定手段を、前記支柱の周面に形成された溝と、前記支柱に外嵌した状態で前記嵌合部に内嵌される二つ割りの円錐形筒状のスリーブとで構成し、
該スリーブの内側面に前記溝と係合する凸条を設けたことを特徴とする請求項４記載のラック。
【考案の詳細な説明】
【技術分野】
【０００１】
本考案は、最上段に載置面が形成されたラックに関する。
【背景技術】
【０００２】
従来、物品を整理する際には、ラックが使用されており、該ラックとしては、図８に示すように組み立て式のラック８０１が知られている（例えば、特許文献１）。
【０００３】
このラック８０１は、複数の棚部８１１と、各棚部８１１を上下に連結する図外の支柱とによって構成されている。各棚部８１１の四隅には、円筒状の嵌合部８１２，・・・が設けられており、各嵌合部８１２，・・・に前記支柱を挿通して固定することで、各棚部８１１を前記支柱で連結できるように構成されている。
【０００４】
前記棚部８１１には、平板状の棚板８２１を支持した状態で固定できるように構成されており、物品を載置する載置面８２２を形成できるように構成されている。
【特許文献１】特開２００２−３３６０６８号公報
【考案の開示】
【考案が解決しようとする課題】
【０００５】
しかしながら、このような従来のラック８０１にあっては、棚部８１１の嵌合部８１２，・・・を挿通した支柱を上方へ延出できるように、棚板８２１の四隅に切欠部８３１，・・・が設けられている。
【０００６】
このため、最上段の棚板８２１で構成される天面において、その四隅を載置面８２２として利用することができなかった。
【０００７】
本考案は、このような従来の課題に鑑みてなされたものであり、最上段の棚板の上面が構成する載置面を有効に利用することができるラックを提供することを目的とするものである。
【課題を解決するための手段】
【０００８】
前記課題を解決するために本考案の請求項１のラックにあっては、棚部に設けられた嵌合部を支柱に嵌合して固定するラックにおいて、前記棚部より突出した前記支柱を回避する有底の座ぐり穴を、最上段の棚部で支持される棚板の下面に設けた。
【０００９】
すなわち、最上段の棚部で支持される棚板の下面には、有底の座ぐり穴が設けられており、この棚板を、最上段の棚部に支持した際には、前記棚部より突出した前記支柱の頂部が前記座ぐり穴に挿入されることによって、前記棚板と前記支柱との干渉が回避される。
【００１０】
これにより、前記棚板に切欠部を設けること無く、前記棚部より突出した前記支柱による棚板の浮き上がりが防止される。
【００１１】
また、請求項２のラックにおいては、前記座ぐり穴を楕円形状に形成した。
【００１２】
これにより、前記棚部より突出した前記支柱の頂部を前記座ぐり穴に挿入した状態で、前記棚板の変位が許容される。
【００１３】
さらに、請求項３のラックでは、前記支柱を円柱又は円筒状に形成する一方、前記座ぐり穴を円形状に形成した。
【００１４】
すなわち、前記棚部より突出した前記支柱は、円柱又は円筒状に形成されており、この支柱が挿入される前記座ぐり穴は、円形状に形成されている。
【００１５】
これにより、前記棚部より突出した前記支柱を前記座ぐり穴に挿入した状態で、前記棚板の位置ずれが防止される。
【００１６】
また、請求項４のラックにあっては、前記棚部の前記嵌合部を前記支柱の任意の位置に固定する固定手段を備えている。
【００１７】
これにより、前記棚部は、任意の高さに固定される。
【００１８】
さらに、請求項５のラックにおいては、前記固定手段を、前記支柱の周面に形成された溝と、前記支柱に外嵌した状態で前記嵌合部に内嵌される二つ割りの円錐形筒状のスリーブとで構成し、該スリーブの内側面に前記溝と係合する凸条を設けた。
【００１９】
これにより、前記支柱の任意の部位に前記スリーブを装着し、当該スリーブに前記嵌合部を外嵌することで、前記棚部が前記支柱に固定される。
【考案の効果】
【００２０】
以上説明したように、本考案の請求項１のラックにあっては、最上段の棚部に棚板を支持した状態で、前記棚部より突出した前記支柱の頂部が前記座ぐり穴に挿入されることによって、前記棚板と前記支柱との干渉を回避することができる。
【００２１】
これにより、前記棚板に切欠部を設けること無く、前記棚部より突出した前記支柱による棚板の浮き上がりを防止することができる。
【００２２】
したがって、棚部より突出した支柱との干渉防止用の切欠部が棚板に設けられた従来と比較して、最上段の前記棚板の上面で構成される天面全域を載置面として有効に利用することができる。
【００２３】
これにより、当該ラックをテレビ台として使用する場合であっても、テレビの四隅に設けられた脚部の切欠部への脱落を防止することができ、各脚部を確実に支持することができる。
【００２４】
また、請求項２のラックにおいては、前記座ぐり穴を楕円形状に形成することによって、前記棚部より突出した前記支柱の頂部を前記座ぐり穴に挿入した状態で、前記棚板の変位を許容することができる。
【００２５】
これにより、棚板固定時には、微調整が可能となり、寸法誤差を吸収することができる。
【００２６】
さらに、請求項３のラックでは、前記棚部より突出する前記支柱を円柱又は円筒状に形成するとともに、この支柱が挿入される前記座ぐり穴を円形状に形成することによって、前記棚部より突出した前記支柱を前記座ぐり穴に挿入した状態で、前記棚板の位置ずれを防止することができる。
【００２７】
また、請求項４のラックにあっては、前記棚部を任意の高さに固定することができる。
【００２８】
さらに、請求項５のラックにおいては、前記支柱の任意の部位に前記スリーブを装着し、当該スリーブに前記嵌合部を外嵌することで、前記棚部を前記支柱に固定することができる。
【考案を実施するための最良の形態】
【００２９】
（第一の実施の形態）
【００３０】
以下、本考案の第一の実施の形態を図に従って説明する。図１は、本実施の形態にかかるラック１を示す図であり、該ラック１は、テレビ台として使用できるように構成されている。
【００３１】
すなわち、このラック１のラック本体１１は、三枚の棚部１２，・・・と、四本の支柱１３，・・・によって構成されており、前記各棚部１２，・・・の四隅には、図１及び図２にも示すように、上方へ向かうに従って縮径した円筒状の嵌合部１４，・・・が設けられている（図４参照）。
【００３２】
前記各支柱１３，・・・は、円筒状の金属パイプによって構成されており、前記棚部１２，・・・に設けられた前記嵌合部１４，・・・に遊嵌できる外形寸法に設定されている。前記各支柱１３，・・・の端部には、キャップが設けられており、該キャップによって端部が閉鎖されている（図示省略）。
【００３３】
ここで、本実施の形態では、前記支柱１３，・・・を円筒状の金属パイプで構成した場合例に挙げて説明したが、これに限定されるものではなく、例えば円柱状の部材で構成することもできる。
【００３４】
そして、前記支柱１３，・・・は、前記各棚部１２，・・・の前記嵌合部１４，・・・を挿通できるように構成されており、図３に示すように、前記支柱１３，・・・の所定位置にスリーブ２１，・・・を外嵌して前記嵌合部１４に内嵌することで、当該支柱１３，・・・の所定位置に前記棚部１２の前記嵌合部１４を固定できるように構成されている。
【００３５】
これにより、前記各棚部１２，・・・を前記各支柱１３，・・・の所定の高さ位置に固定できるように構成されており、各棚部１２，・・・を任意の位置で離間して固定することにより、図１に示したように、棚を備えたラック１を形成できるように構成されている。
【００３６】
前記各棚部１２，・・・の前記嵌合部１４，・・・を前記支柱１３，・・・の任意の位置に固定する固定手段１０１は、図４〜図６に示すように、前記各支柱１３，・・・の周面に形成された溝１０２，・・・と、前記支柱１３に外嵌した状態で前記嵌合部１４に内嵌される前記スリーブ２１とによって構成されている。
【００３７】
このスリーブ２１は、二つ割りの円錐形筒状に形成されており、第一部材１１１と第二部材１１２とで構成されている。両部材１１１，１１２の端面には、互いに嵌合する凹部１１３及び凸部１１４が形成されており、当該スリーブ２１の内側面、つまり前記各部材１１１，１１２の内側面には、前記溝１０２と係合する凸条１１５が形成されている。
【００３８】
これにより、この凸条１１５を前記支柱１３の溝１０２に係合した状態で前記両部材１１１，１１２を前記支柱１３に装着してスリーブ２１を支柱１３に外嵌した後、このスリーブ２１を前記嵌合部１４に内嵌することで、前記スリーブ２１を楔として前記嵌合部１４を前記支柱１３に固定できるように構成されている。
【００３９】
前記棚部１２，・・・は、図１にも示したように、金属線３１，・・・が格子状に組まれた形成された棚面部３２を備えており、該棚面部３２は、横長の長方形状に形成されている。この棚面部３２の四辺には、金属線によって側面部３３，・・・が形成されており、当該棚部１２，・・・が補強されている。
【００４０】
各棚部１２，・・・の四隅に、図１及び図２に示したように、金属製の円筒部材で構成された前記嵌合部１４，・・・が設けられており、各嵌合部１４，・・・は、前記側面部３３，・・・に接続されている。
【００４１】
最上段に設けられた棚部１２の棚面部３２を構成する金属線３１は、図３に示すように、他の段の棚面部３２より荒い格子状に組まれており、この金属線３１の一部には、楕円形状の平面部４１が複数箇所に形成されている。各平面部４１，・・・には、貫通穴が開設されており（図示省略）、当該貫通穴にタッピンねじ４２，・・・を挿通できるように構成されている。
【００４２】
そして、この最上段の棚部１２には、図１に示したように、棚板５１が支持されるように構成されており、図３に示したように、該棚板５１を前記棚部１２で支持した状態で該棚部１２の裏面側から前記金属線３１の前記平面部４１に設けられた貫通穴にタッピンねじ４２を挿通するとともに、該タッピンねじ４２を前記棚板５１の下面５２に螺入することによって、当該棚板５１を前記棚部１２上に固定できるように構成されている。
【００４３】
この棚板５１は、長方形の平板状に形成されており、前記棚部１２よりやや大きめに形成されている。この棚板５１の下面５２には、図２に示したように、最上段の棚部１２より突出した前記支柱１３の頂部６１を回避する有底の楕円形座ぐり穴６２が四隅に設けられており、該楕円形座ぐり穴６２の底面６３までの深さ寸法は、前記棚部５１の前記嵌合部１４から突出した前記支柱１３及び該支柱１３に設けられた前記キャップの突出量より大きく設定されている。前記各楕円形座ぐり穴６２，・・・は、横長の楕円形状に形成されており、各楕円形座ぐり穴６２，・・・は、当該棚板５１の長さ方向に延設されている。
【００４４】
この棚板５１の上面７１によって当該ラック１の天部には、テレビを載置することができる載置面が形成されている。
【００４５】
以上の構成にかかる本実施の形態において、このラック１の最上段の棚部１２で支持された棚板５１の下面５２には、有底の楕円形座ぐり穴６２，・・・が設けられており、この棚板５１を、最上段の棚部１２に支持した際には、当該棚部１２より突出した前記支柱１３，・・・の頂部６１，・・・が前記楕円形座ぐり穴６２，・・・に挿入されることによって、前記棚板５１と前記支柱１３，・・・との干渉を回避することができる。
【００４６】
これにより、前記棚板５１に切欠部を設けること無く、前記棚部１２より突出した前記支柱１３，・・・による前記棚板５１の浮き上がりを防止することができる。
【００４７】
したがって、棚部より突出した支柱との干渉防止用の切欠部が棚板に設けられた従来と比較して、最上段の前記棚板５１の上面７１で構成される天面全域を載置面として有効に利用することができる。
【００４８】
これにより、当該ラック１をテレビ台として使用する場合であっても、テレビの四隅に設けられた脚部の切欠部への脱落を防止することができ、各脚部を確実に支持することができる。
【００４９】
また、前記棚板５１に設けられた前記各楕円形座ぐり穴６２，・・・は楕円形状に形成されている。
【００５０】
これにより、前記棚部１２より突出した前記支柱１３，・・・の頂部６１，・・・を前記楕円形座ぐり穴６２，・・・に挿入した状態で、前記棚板５１の変位を許容することができる。
【００５１】
したがって、棚板５１固定時には、長さ方向への微調整が可能となり、寸法誤差を吸収することができる。
【００５２】
また、前記棚部１２の前記嵌合部１４，・・・を前記支柱１３，・・・の任意の位置に固定する固定手段１０１を備えることによって、前記棚部１２を任意の高さに固定することができる。
【００５３】
さらに、この固定手段１０１を、前記支柱１３の周面に形成された溝１０２，・・・と、前記支柱１３に外嵌した状態で前記嵌合部１４に内嵌される二つ割りの円錐形筒状のスリーブ２１とで構成し、該スリーブ２１の内側面に前記溝１０２と係合する凸条１１５を設けることで、前記支柱１３の任意の部位に前記スリーブ２１を装着し、当該スリーブ２１に前記嵌合部１４を外嵌することで、前記棚部１２を前記支柱１３，・・・に固定することができる。
【００５４】
（第二の実施の形態）
【００５５】
図７は、第二の実施の形態を示す図であり、第一の実施の形態と同一又は同等部分に付いては、同符号を付して説明を割愛するとともに、異なる部分に付いてのみ説明する。
【００５６】
すなわち、前記ラック本体１１の最上段の棚部１２に固定される棚板５１の下面５２には、最上段の棚部１２より突出した前記支柱１３の頂部６１を回避する有底の円形座ぐり穴２０１が四隅に設けられており、該円形座ぐり穴２０１の底面６３までの深さ寸法は、前記棚部５１の前記嵌合部１４から突出した前記支柱１３及び該支柱１３に設けられた前記キャップの突出量より大きく設定されている。
【００５７】
前記各円形座ぐり穴２０１，・・・は、円形状に形成されており、各円形座ぐり穴２０１，・・・は、対応した支柱１３，・・・に適合した大きさに設定されている。
【００５８】
以上の構成にかかる本実施の形態においても、前述した第一の実施の形態と同様の作用効果を奏することができる。
【００５９】
これらに加えて、本実施の形態では、円柱又は円筒状に形成された支柱１３，・・・に対して、各支柱１３，・・・の頂部６１が挿入される前記円形座ぐり穴２０１，・・・は、円形状に形成されている。
【００６０】
これにより、前記棚部１２より突出した前記支柱１３，・・・を前記円形座ぐり穴２０１，・・・に挿入した状態で、前記棚板５１の位置ずれを防止することができる。
【図面の簡単な説明】
【００６１】
【図１】本考案の第一の実施の形態を示す図である。
【図２】同実施の形態の要部を拡大して示した説明図である。
【図３】同実施の形態の要部の下方からの見た斜視図である。
【図４】同実施の形態の棚部の要部を示す側面図である。
【図５】同実施の形態の棚部を支柱に固定する手順を示す説明図である。
【図６】同実施の形態の棚部を支柱に固定した状態を示す側面図である。
【図７】本考案の第二の実施の形態を示す要部の拡大図である。
【図８】従来のラックを示す要部の分解図である。
【符号の説明】
【００６２】
１    ラック
１２    棚部
１３    支柱
１４    嵌合部
２１    スリーブ
５１    棚板
５２    下面
６２    楕円形座ぐり穴
７１    上面
１０１    固定手段
１０２    溝
１１５    凸条
２０１    円形座ぐり穴
【図１】
0003135142.tif 000003
【図２】
0003135142.tif 000004
【図３】
0003135142.tif 000005
【図４】
0003135142.tif 000006
【図５】
0003135142.tif 000007
【図６】
0003135142.tif 000008
【図７】
0003135142.tif 000009
【図８】
0003135142.tif 000010